(57)【要約】【課題】建てつけが悪くなる等不具合が発生することなく、引戸を円滑に開閉できる。また室内空間が広く使え、家具等の配置の自由性が増すとともに外観が良好となる引戸装置を提供する。【解決手段】上ガイドレールに支持された引戸が、開口部に隣接する壁に対面する開口位置と、開口部に対面する位置から開口部の出入方向にスライドした該開口部を塞ぐ閉止位置との間を水平移動可能となっている引戸装置であって、引戸と、開口部と、この開口部に隣接し前記開口位置の引戸と向き合う隣接壁部と、前記開口部の上部から前記隣接壁部に亘り水平に連続して設けられ、かつ前記引戸を支持する上ガイドレールとからなり、前記上ガイドレールは、前記隣接壁部の上部に形成された溝に嵌合して取付けられることを特徴とする。【選択図】  図５
2005048361.tif 000002
【特許請求の範囲】
【請求項１】
上ガイドレールに支持された引戸が、開口部に隣接する壁に対面する開口位置と、開口部に対面する位置から開口部の出入方向にスライドした該開口部を塞ぐ閉止位置との間を水平移動可能となっている引戸装置であって、
引戸と、開口部と、この開口部に隣接し前記開口位置の引戸と向き合う隣接壁部と、前記開口部の上部から前記隣接壁部の上部に亘り水平に連続して設けられ、かつ前記引戸を支持する上ガイドレールとからなり、
前記上ガイドレールは、前記隣接壁部の上部に形成された溝に嵌合して取付けられることを特徴とする引戸装置。
【請求項２】
前記上ガイドレールは水平な筒状の基体と、前記引戸を吊り下げる支持軸を有し前記基体内を移動する移動部とを具え、
前記基体は、前記移動部の支持軸を嵌合しかつ斜行部を有するスリット状のガイド部を具えたことを特徴とする請求項１記載の引戸装置。
【請求項３】
前記移動部は、前記基体内をその長手方向に走行する第１の移動部と、該第１の移動部上を前記長手方向と直行方向に移動し、かつ前記支持軸を具えた第２の移動部とからなることを特徴とする請求項１又は２記載の引戸装置。
【請求項４】
前記基体は、点検孔が形成されていることを特徴とする請求項１〜３のいずれかに記載の引戸装置。
【発明の詳細な説明】
【０００１】
【発明の属する技術分野】
本発明は、上ガイドレールに垂下支持された引戸が、開口部に隣接する隣接壁部に向き合う開口位置と、開口部に嵌合して該開口部を塞ぐ閉止位置との間を水平移動可能となっている引戸装置に関する。
【０００２】
【従来の技術】
従来、図１０に示すように、建築の開口部を開閉するために採用されている引戸ｅは、壁部ａの開口部ｂ側部に形成された凹所ｃと開口部ｂとの間を、レールｄに案内されて前記壁部ａに沿って移動し、開口部ｂを開閉している。
【０００３】
しかし、凹所ｃのため壁部ａが厚みを減じ、遮音性を損なうとともに外観を損なうという課題があり、また建築工事の際複雑な造作を必要とした。
【０００４】
そこで、図１１に示すように、壁部ａ表面に上レールｄを取付けるとともに引戸ｅが開口部ｂで開口出入方向に移動するための滑子ｆが格納される滑子格納部ｇを形成することにより、引戸ｅが、開口部ｂに隣接する壁部に対面する開口位置と、開口部ｂに対面する位置から開口部ｂの出入方向にスライドした該開口部ｂを塞ぐ閉止位置との間の水平移動を可能とする引戸構造が提案されている。
（例えば特許文献１）。
【０００５】
【特許文献１】
特開２００２−２２０９６５号公報（第１、５図）
【０００６】
【発明が解決しようとする課題】
しかしながら、上レールｄは壁部ａに片持ち状態で取付けているため、引戸ｅの開閉時の衝撃等により、上レールｄの取付状態が変化して引戸ｅの建てつけが狂い、開閉動作に支障が発生することが判明した。また引戸ｅの安定支持のため上レールｄの剛性を高めると、該上レールｄが大型化して壁部ａから大きく突出し室内空間を狭くし、家具の配置等に制約ができるとともに、外観上好ましくない。
【０００７】
本発明は、以上のような問題点に鑑み案出なされたもので、引戸の動作に基づく衝撃力が作用しても、引戸の建てつけが悪くなる等不具合の発生がなく、引戸を円滑に開閉移動でき、室内空間が広く使えて家具等の配置の自由性が増すとともに外観が良好となる引戸装置の提供を目的としている。
【０００８】
【課題を解決するための手段】
本発明のうち請求項１記載の発明は、上ガイドレールに支持された引戸が、開口部に隣接する壁に対面する開口位置と、開口部に対面する位置から開口部の出入方向にスライドした該開口部を塞ぐ閉止位置との間を水平移動可能となっている引戸装置であって、引戸と、開口部と、この開口部に隣接し前記開口位置の引戸と向き合う隣接壁部と、前記開口部の上部から前記隣接壁部の上部に亘り水平に連続して設けられ、かつ前記引戸を支持する上ガイドレールとからなり、前記上ガイドレールは、前記隣接壁部の上部に形成された溝に嵌合して取付られるので、引戸の開閉動作に基づく衝撃力が作用しても、引戸の建てつけが悪くなる等不具合を生じることはなく、また室内空間が広く使え、家具等の配置の自由性が増すとともに外観が良好となる。
。
【０００９】
請求項４の発明は、前記基体は点検孔が形成されていることにより、一部が壁に埋設された上ガイドレールを取り外すことなく点検孔から目視で点検チェックでき、必要に応じて点検孔から移動部の取り出し、修理、交換ができる。
【００１０】
【発明の実施の形態】
以下本発明の実施の一形態を図面に基づき説明する。図１、２において本発明の引戸装置は、引戸２と、開口部３と、この開口部３に隣接し前記開口位置４の引戸２と向き合う隣接壁部Ｗと、前記開口部３の上部から前記隣接壁部Ｗの上部に亘り水平に連続して設けられ、かつ前記引戸２を支持する上ガイドレール１とからなる。
【００１１】
前記開口部３は、人の出入、採光、通風等のため、住宅等建築物の内部空間を区切る間仕切壁、外壁等の壁Ｗａに設けた空所である。
【００１２】
前記上ガイドレール１は、図４、５、８に示すように、水平な筒状の基体７と、この基体７内を移動する移動部９とからなり、前記基体７は、下方に開口する溝部２１と、ガイド板２３とを具える。このガイド板２３は、引戸２の幅寸法よりも少し短い間隔で、長手方向に縦列した２個のスリット状のガイド部１１を具え、このガイド部１１は隣接壁部Ｗに平行方向の直行部５６と、この直行部５６に連続し、該直行部５６から開口部３に漸次近づき、直行部５６に対し平面視で斜めを向く斜行部１０を有する。さらに本実施形態では、斜行部１０は平面視湾曲状に形成されている。
【００１３】
前記移動部９は、第１の移動部９Ａと、第２の移動部９Ｂとからなり、第１の移動部９Ａは基台２５とその両側に各々２個の第１の車輪２６Ａとを具え、第１の車輪２６Ａが前記基体７の走路２７上を走行することにより、移動部９は基体７内を長手方向に移動する。前記第２の移動部９Ｂは計４個の第２の車輪２６Ｂを具え、前記第１の移動部９Ａの基台２５上を前記長手方向に直行する方向に移動する。
【００１４】
前記第２の移動部９Ｂから垂下形成された支持軸８は、前記第１の移動部９Ａの基台２５に形成された前記長手方向に直行する長孔２８と、前記ガイド部１１を貫挿して下方に延び、その下端の取付プレート３５を引戸２の上部に形成されたスリット３６に嵌合固定することにより引戸２を吊り下げている。前記基体７内に２個設けられた移動部９の支持軸８は、前記２個のガイド部１１にそれぞれ貫挿し、引戸２の前後部を各々支持している。これにより、図４に示すように、上ガイドレール１に支持された引戸２は、隣接壁部Ｗに対面する開口位置４と、該開口位置４から隣接壁部Ｗに沿って移動するとともに、前記支持軸８がガイド部１１の斜行部１０内を移動することにより、閉止位置５との間を水平移動する。
【００１５】
本明細書における閉止位置５とは、開口部３に対面する位置から開口部３の出入方向にスライドした該開口部３を塞ぐ引戸２の位置を言う。図４において、閉止位置５、開口位置４における引戸２を各々２Ａ、２Ｂで示す。また閉止位置５における引戸２の少なくとも一部は、隣接壁部Ｗの延長線上の内部に位置する。
【００１６】
また、前記上ガイドレール１の基体７には、図８に示すように、その上部の一部を切り欠いて点検孔１２を形成し、前記移動部９の点検、メンテナンス、さらに移動部９を取り出して修理、交換を可能とする。さらに蓋３８を設け、前記点検孔１２を開閉可能としている。
【００１７】
前記隣接壁部Ｗは、壁Ｗａの中で開口部３に隣接するとともに開口位置４の引戸２と向き合う部分を指し、主壁部１３と、この主壁部１３の開口部３側に連続して設けられる縁壁部１４とからなる。
【００１８】
主壁部１３は、図３、４に示すように、下地桟４１の両側に石膏ボード、合板等の内装下地板４２を固定し、更にその上に壁クロス、壁紙、塗り壁等の仕上層（図示せず）が積層される。また本形態では、前記主壁部１３とこれに続く壁Ｗａは、同じ厚さで連続するととも、壁クロス、壁紙、塗り壁等の仕上層は連続して形成され、これにより外観に優れ、また設計施工等の作業を合理化できる。更に主壁部１３とこれに続く壁Ｗａを下地を含めて連続した一体構造として形成することもできる。
【００１９】
また、前記縁壁部１４は、傾斜部材４３と、内装下地材４６からなり、下地板４４、補助桟４５を介して一体化され、前記主壁部１３の開口部３側に形成される。前記傾斜部材４３は、前記引戸２に対面する側に、開口部３に近い程その表面が後退する形状の湾曲面５４を有し、前記縁壁部１４は湾曲面５４からなる傾斜部１５を具える。このため、引戸２が閉止位置５に至る直前、又は閉止位置５から開き始めた直後に、前記支持軸８がガイド部１１の斜行部１０内を移動し、これに吊り下げられた引戸２が矢印Ｘの方向に小さく斜めに水平移動する際（図４の引戸２Ｃがその時の状態を示す）、引戸２の端部５５が隣接壁部Ｗと干渉して衝突することがなく、傾斜部１５の前方に形成された空間Ｓを移動し、スムーズな開閉動作を可能とする。さらに、引戸２と隣接壁部Ｗの干渉が回避されるので、前記上ガイドレール１のガイド部１１の斜行部１０を緩やかに形成して引戸２の開閉の動線をより滑らかとすることができ、これにより開閉に要する力を減じるとともに開閉端での衝撃を緩和でき、騒音と振動の発生を抑制しうる。
【００２０】
前記傾斜部材４３は、本形態では、再生木材の押出し成形で中実に形成しているが、Ｖカット加工を用いた修正木材、合成樹脂の押出し成形等で中空に形成することもできる。また傾斜部材４３と内装下地材４６を予め一体化した縁壁パネルを、前記主壁部１３の開口部３側に取付けて縁壁部１４を形成することもできる。さらには、主壁部１３と縁壁部１４を予め一体化した隣接壁部パネルを使用する等各種の変形も可能である。
【００２１】
また図５、６に示すように、隣接壁部Ｗの内装下地材４２、胴縁３２と、その上部の壁Ｗａの内装下地材４２ａ、胴縁３２ａの間を上ガイドレール１の厚さと略同寸法隔てた間隙を設け、この間隙により隣接壁部Ｗの上部に溝６を形成している。上ガイドレール１は隣接壁部Ｗの上部において、基体７の壁Ｗａ側を前記溝６に嵌合するとともに、前記基体７の上部から立ち上がる取付片２９を固着具３０により胴縁３２ａに固定して取付られ、これにより、取付強度が強く、従って引戸２の開閉動作に基づく衝撃力が作用しても、上ガイドレール１の取付位置のずれ、姿勢の傾き等はなく、引戸２の建てつけが悪くなる等不具合を生じることはない。また溝６に嵌合した分、上ガイドレール１の突出長が減少するので、室内空間が広く使え、家具等の配置の自由性が増すとともに外観が良好となる。
【００２２】
本実施形態では、前記上ガイドレール１の基体７の上部から水平に延びる鍔３１が、前記溝６の底部で胴縁３２ａ、３２ｂにより挟着されるので、上ガイドレール１の取付強度は更に大きい。
【００２３】
尚上ガイドレール１は、開口部３の上部において、図７に示すように、前記取付片２９が壁Ｗａを構成する垂れ壁３９の胴縁３９ａに固着具３０で固定されるとともに前記鍔３１が胴縁３９ａと開口上枠４０間で挟着され、強固に取付けられている。
【００２４】
また本発明の引戸装置は、図２、３、５、９に示すように、前記隣接壁部Ｗの主壁部１３と縁壁部１４の下部に、連続した幅木１８が形成され、さらにこの幅木１８は主壁部１３に続く壁Ｗａの下部へ連続して延びている。前記幅木１８は、前記縁壁部１４の傾斜部１５に沿って、開口部３に近い程その表面が後退する幅木傾斜部４７を有する。
【００２５】
前記幅木１８には、リップ４８を具えた溝４９からなる下ガイドレール１６が一体に形成され、この下ガイドレール１６は、前記幅木傾斜部４７において、縁壁部１４の傾斜部１５に沿った下レール傾斜部１７を具える。引戸２の下端部に取付けられたアングル５０から水平に延びる腕５１先端の下ローラ５２を、前記下ガイドレール１６の溝４９が嵌合し、かつリップ４８で離脱不能に支持することにより、引戸２下部の開閉方向と直行する方向の揺動を防止し、引戸２が閉止位置５に至る直前、又は閉止位置５から開き始めた直後に、引戸２が矢印Ｘの方向に小さく斜めに水平移動する際、下レール傾斜部１７が引戸２の下部を確実に支持するので、引戸２をスムースに開閉できる。さらに、下ガイドレール１６は、幅木１８と一体に形成されているので、外観が優れる。
【００２６】
前記開口部３は、図３、４に示すように、その側縁に受縦枠１９と、摺縦枠２０とを具える。前記受縦枠１９は、閉止位置に向け移動する引戸２の移動前方に位置し閉止位置５にある引戸２の前記移動前方の端部に当接し、引戸２の戸当たりとして機能する。前記摺縦枠２０は縁壁部１４に取付けられ、この摺縦枠２０は閉止位置５の引戸２の表面に対面し、摺縦枠２０に取付けられたゴム、モヘア等のタイト材５３とともに閉止位置５にある引戸２と開口部３の気密性を高め、光の漏れを防止する。
【００２７】
また前記上ガイドレール１の前面には、取付板３３に支持された化粧板３４が装着され、外観を向上している。
【００２８】
【発明の効果】
上述したように、本発明の引戸装置は、上ガイドレールに支持された引戸が、開口部に隣接する壁に対面する開口位置と、開口部に対面する位置から開口部の出入方向にスライドした該開口部を塞ぐ閉止位置との間を水平移動可能となっている引戸装置であって、引戸と、開口部と、この開口部に隣接し前記開口位置の引戸と向き合う隣接壁部と、前記開口部の上部から前記隣接壁部に亘り水平に連続して設けられ、かつ前記引戸を支持する上ガイドレールとからなり、前記上ガイドレールは、前記隣接壁部の上部に形成された溝に嵌合して取付けられることにより、引戸の開閉動作に基づく衝撃力が作用しても、建てつけが悪くなる等不具合が発生することなく、引戸を円滑に開閉できる。また上ガイドレールの突出長が減少するので、室内空間が広く使え、家具等の配置の自由性が増すとともに外観が良好となる。
【図面の簡単な説明】
【図１】本発明の一実施の形態を例示する正面図である。
【図２】その斜視図である。
【図３】図１のＡ−Ａ断面図である。
【図４】図１のＢ−Ｂ断面図である。
【図５】引戸が開口位置における図１のＣ−Ｃ断面図である。
【図６】その拡大分解図である。
【図７】引戸が閉止位置における図１のＤ−Ｄ断面図である
【図８】上ガイドレールを例示する斜視図である。
【図９】幅木を例示する斜視図である。
【図１０】従来例を示す概略図である。
【図１１】異なる従来例を示す斜視図である。
【符号の説明】
１      上ガイドレール
２      引戸
３      開口部
４      開口位置
５      閉止位置
６      溝
７      基体
８      支持軸
９      移動部
９Ａ    第１の移動部
９Ｂ    第２の移動部
１０      斜行部
１１      ガイド部
１２      点検孔
Ｗ      隣接壁部
【図１】
2005048361.tif 000003
【図２】
2005048361.tif 000004
【図３】
2005048361.tif 000005
【図４】
2005048361.tif 000006
【図５】
2005048361.tif 000007
【図６】
2005048361.tif 000008
【図７】
2005048361.tif 000009
【図８】
2005048361.tif 000010
【図９】
2005048361.tif 000011
【図１０】
2005048361.tif 000012
【図１１】
2005048361.tif 000013